(57)【特許請求の範囲】
【請求項１】
第１導光ユニット及び該第１導光ユニットから光が出射される方向の上に配置される第２導光ユニットを具備する導光部を含み、
前記第１導光ユニット及び前記第２導光ユニットの各々は、
受信された光を出射する出射面、該出射面に対向する下面、及び前記出射面と下面とを連結する側面を含む導光板と、
前記側面の中の少なくとも１つに向かって光を照射する複数の光源と、
前記光が照射される側面と前記光源との間に配置されるバンドパスフィルターと、を具備し、
前記第１導光ユニットのバンドパスフィルターから出射される光の波長は、前記第２導光ユニットのバンドパスフィルターから出射される光の波長と相違することを特徴とするバックライトユニット。
【請求項２】
前記それぞれのバンドパスフィルターは、各々屈折率が互に異なる複数のフィルムが積層された複数のフィルターユニットを含むことを特徴とする請求項１に記載のバックライトユニット。
【請求項３】
前記フィルターユニットは第１フィルム、及び該第１フィルムの上に配置され、前記第１フィルムと屈折率が異なる第２フィルムを具備することを特徴とする請求項２に記載のバックライトユニット。
【請求項４】
前記第１フィルムはポリエチレンナフタレートを含み、
前記第２フィルムはポリスチレンを含むことを特徴とする請求項３に記載のバックライトユニット。
【請求項５】
前記それぞれのバンドパスフィルターは、各々５つ以上のフィルターユニットが積層された構造を具備することを特徴とする請求項２に記載のバックライトユニット。
【請求項６】
前記それぞれのバンドパスフィルターは、入射された光の中で透過しようとする光以外の光を７０％以上反射することを特徴とする請求項２に記載のバックライトユニット。
【請求項７】
各光源は、
発光ダイオードチップと、
該発光ダイオードチップを封止するモールディング部と、
前記発光ダイオードチップから発生する光を集光するレンズ部と、を含むことを特徴とする請求項１に記載のバックライトユニット。
【請求項８】
前記レンズ部は前記発光ダイオードチップから発生された光をガイドする光ガイド部及び前記光を集光する集光部を含むことを特徴とする請求項７に記載のバックライトユニット。
【請求項９】
前記光源は前記光ガイド部を囲む反射部材をさらに含むことを特徴とする請求項８に記載のバックライトユニット。
【発明の詳細な説明】
【技術分野】
【０００１】
本発明はバックライトユニットに関し、より詳しくは左眼及び右眼映像の混在に起因する立体映像の品質低下を防止できるバックライトユニットに関する。
【背景技術】
【０００２】
一般的に、立体映像表示装置は両眼視差（Ｂｉｎｏｃｕｌａｒ  ｄｉｓｐａｒｉｔｙ）を有する左眼映像と右眼映像とを観察者の左眼と右眼との各々に分離して表示する。観察者は両眼を通じて左眼映像と右眼映像とを見て、脳内でこの映像を融合して立体感を視認する。
【０００３】
立体映像表示装置は立体映像を具現するために表示パネルに左眼用映像及び右眼用映像を交互に表示する。表示パネルに表示される映像が左眼映像から右眼映像に転換されるか、或いは、反対に右眼映像から左眼映像に転換される時、表示パネルの走査過程に起因して左眼映像と右眼映像とが混在し、その結果、立体映像の品質が低下する。
【先行技術文献】
【特許文献】
【０００４】
【特許文献１】韓国特許公開第１０−２００８−０１１０１７３号公報
【発明の概要】
【発明が解決しようとする課題】
【０００５】
本発明の目的は左眼及び右眼映像の混在による立体映像の品質低下を防止できるバック
ライトユニットを提供することにある。
【課題を解決するための手段】
【０００６】
上述した本発明の一目的を達成するためのバックライトユニットは複数の導光ユニットを具備する導光部を含む。前記導光ユニットは各々、受信された光を出射する出射面、前記出射面に対向する下面、及び前記出射面と下面とを連結する側面を含む導光板、前記側面の中で少なくとも１つに向かって光を照射する複数の光源、及び前記光が照射される側面と前記光源部との間に配置されるバンドパスフィルターを具備する。
【０００７】
前記導光部は第１導光ユニット、及び前記第１導光ユニットから光が出射される方向の上に配置される第２導光ユニットを包含できる。
前記バンドパスフィルターは各々屈折率が互に異なる複数のフィルムが積層された複数のフィルターユニットを包含できる。
前記フィルターユニットは第１フィルム、及び前記第１フィルムの上に配置され前記第１フィルムと屈折率が異なる第２フィルムとを具備することができる。
前記第１フィルムはポリエチレンナフタレートを含み、前記第２フィルムはポリスチレンを包含できる。
前記バンドパスフィルターは各々５つ以上のフィルターユニットが積層された構造を具備することができる。
【０００８】
上述した本発明のバックライトユニットを具備する立体映像表示装置は、左眼映像及び右眼映像を表示する表示パネル及び前記表示パネルへ光を供給するバックライトユニットを具備する。前記バックライトユニットは複数の導光ユニットを具備する導光部を含み、各導光ユニットは受信された光を出射する出射面、前記出射面に対向する下面、及び前記出射面と下面とを連結する側面を含む導光板、前記側面の中で少なくとも１つに向かって光を照射する複数の光源、及び前記光が照射される側面と前記光源部との間に配置されるバンドパスフィルターを具備する。
【発明の効果】
【０００９】
本発明のバックライトユニットは望む波長領域の光を分離して表示パネル方向に提供する。従って、前記バックライトユニットを具備する立体映像表示装置は左眼及び右眼映像の混在に起因する立体映像の品質低下を防止できる。
【図面の簡単な説明】
【００１０】
【図１】本発明の一実施形態による表示装置を説明するための分解斜視図である。
【図２】図１に示した表示装置に使用される導光部を説明するための斜視図である。
【図３】図２の導光部を説明するための断面図である。
【図４】図３のバンドパスフィルターを説明するための拡大図である。
【図５】図１に示した表示装置に使用される光源を説明するための斜視図である。
【図６】図５の光源を説明するための断面図である。
【発明を実施するための形態】
【００１１】
本発明は多様な変更を加えることができ、様々な形態を有することができるので、特定の実施形態を図面に例示し、本文で詳細に説明する。しかし、これは本発明をこの特定な開示形態に限定するものでなく、本発明の思想及び技術範囲に含まれる全ての変更、均等物、乃至代替物を含むと理解されなければならない。
【００１２】
各図面を通じて、類似な参照符号を類似な構成要素に対して使用した。添付された図面において、構造物の寸法は本発明を明確に説明するために実際より拡大して示した。「第１」、「第２」等の用語は多様な構成要素を説明するために使用されるが、前記構成要素は前記用語によって限定されない。前記用語は１つの構成要素を他の構成要素から区別する目的のみに使用される。例えば、本発明の権利範囲を逸脱しない限り、第１構成要素は第２構成要素と称し、同様に第２構成要素も第１構成要素と称し得る。単数の表現は文脈の上に明確に異なるように（即ち、単数に限定すると明文で規定されている）意味しない限り、複数の表現を含む。
【００１３】
本出願で、“包含する”又は“有する”等の用語は明細書上に記載された特徴、数字、段階、動作、構成要素、部品又はこれらを組合せたものの存在を指定しようとするものであるが、１つ又はその以上の異なる特徴や数字、段階、動作、構成要素、部分品又はこれらを組合せたものの存在又は付加可能性を予め排除しなと理解されなければならない。また、層、膜、領域、板等の部分が他の部分“上に”あるとする場合、これは他の部分“直ちに上に”にある場合のみでなく、その中間にその他の部分がある場合も含む。反対に層、膜、領域、板等の部分が他の部分“下に”あるとする場合、これは他の部分“直ちに下に”にある場合のみでなく、その中間にその他の部分がある場合も含む。
【００１４】
以下、添付した図面を参照して本発明の望ましい実施形態をより詳細に説明する。
図１は本発明の第１実施形態による表示装置の分解斜視図である。
図１を参照すれば、本発明の第１実施形態による表示装置５００は表示パネル１００、バックライトユニット３００、上部カバー４１０、及び下部カバー４２０を含む。
【００１５】
表示パネル１００としては、液晶表示装置パネル（ｌｉｑｕｉｄ  ｃｒｙｓｔａｌ  ｄｉｓｐｌａｙ  ｐａｎｅｌ、ＬＣＤ＿ｐａｎｅｌ）や電氣泳動表示パネル（ｅｌｅｃｔｒｏｐｈｏｒｅｔｉｃ  ｄｉｓｐｌａｙ  ｐａｎｅｌ、ＥＤＰ）等の多様な表示パネルが使用され得る。本実施形態では前記液晶表示装置パネルを例として説明する。
【００１６】
表示パネル１００は長辺と短辺とを有する長方形の板状に設けられ、表示領域１４０で画像を表現し、左眼映像及び右眼映像を分離して表示する。また、表示パネル１００はアレイ基板１１０、アレイ基板１１０に対向する対向基板１２０及びアレイ基板１１０と対向基板１２０との間に形成された液晶層（図示せず）を含む。
【００１７】
本発明の一実施形態によれば、アレイ基板１１０は複数の画素（図示せず）がマトリックス形態に具備される。ここで、各画素は複数のサブ画素を包含し、前記サブ画素はレッド（Ｒ）、グリーン（Ｇ）、及びブルー（Ｂ）の中のいずれか１つの色相を有する。また、前記各サブ画素は第１方向、例えば、アレイ基板１１０の一辺に平行な方向に延長されたゲートライン（図示せず）、前記第１方向と直交する第２方向に延長されてゲートラインと絶縁されるように交差するデータライン（図示せず）及び画素電極（図示せず）を具備する。また、前記各サブ画素は、前記ゲートライン、前記データライン、及び前記画素電極に電気的に連結された薄膜トランジスター（図示せず）を具備する。前記薄膜トランジスターは対応する画素電極側に提供すべき駆動信号をスイッチングする。
【００１８】
また、アレイ基板１１０の一側にはドライバーＩＣ（１３０）が具備される。ドライバーＩＣ（１３０）は外部から各種信号を受信し、受信された各種制御信号に応答して表示パネル１００を駆動する前記駆動信号を前記薄膜トランジスター側へ出力する。
【００１９】
対向基板１２０はその一面の上にバックライトユニット３００から提供される光を利用して所定の色を具現するＲＧＢカラーフィルター（図示せず）及び前記ＲＧＢカラーフィルターの上に形成されて前記画素電極と対向する共通電極（図示せず）を具備する。ここで、前記ＲＧＢカラーフィルターは薄膜工程を通じて形成される。、本発明では対向基板１２０にカラーフィルターが形成される場合を例として説明したが、これに限定されない。例えば、前記カラーフィルターはアレイ基板１１０の上に形成されうることは当業者に明確なことである。
【００２０】
前記液晶層の液晶分子は前記画素電極及び前記共通電極に印加される電圧によって特定方向に配列されることにより、バックライトユニット３００から提供される前記光の透過度を調節して表示パネル１００が映像を表示できるようにする。
【００２１】
モールドフレーム２００は表示パネル１００の縁に沿って提供されて表示パネル１００の下部で表示パネル１００を支持する。モールドフレーム２００は大略的に長方形の環形状を有する。モールドフレーム２００は図面では単一個片から形成されているが、必要によって複数個で別々に形成して組み合わせてもよい。また、モールドフレーム２００は場合によっては省略される。
【００２２】
バックライトユニット３００は表示パネル１００の下部に具備される。バックライトユニット３００は複数の導光ユニット３１０、３２０を含む導光部、光学部材３３０及び反射シート３４０を含む。ここで、前記導光部は表示パネル１００の下部に配置される第１導光ユニット３１０、及び第１導光ユニット３１０と表示パネル１００との間に配置される第２導光ユニット３２０を包含できる。
【００２３】
第１導光ユニット３１０及び第２導光ユニット３２０は各々導光板３１１、３２１、導光板３１１、３２１に向かって光を照射する複数の光源３１２、３２２、及び導光板３１１、３２１及び光源３１２、３２２の間に配置されるバンドパスフィルター３１３、３２３を含む。
【００２４】
光学部材３３０は第２導光ユニット３２０及び表示パネル１００の間に提供される。光学部材３３０は第２導光ユニット３２０から出射される光を制御する役割を遂行する。また、光学部材３３０は順次的に積層された拡散シート３３６、プリズムシート３３４、及び保護シート３３２を含む。
【００２５】
拡散シート３３６は第２導光ユニット３２０から出射された光を拡散する役割を遂行する。プリズムシート３３４は拡散シート３３６で拡散された光を上部の表示パネル１００の平面と垂直になる方向に集光する役割を遂行する。プリズムシート３３４を通過した光は概ね大部分表示パネル１００と垂直に入射される。保護シート３３２はプリズムシート３３４の上に位置する。保護シート３３２はプリズムシート３３４を外部の衝撃から保護する。
【００２６】
本実施形態では光学部材３３０が拡散シート３３６、プリズムシート３３４、及び保護シート３３２を１枚づつ具備している場合を例として説明したが、これに限定されない。光学部材３３０は拡散シート３３６、プリズムシート３３４、及び保護シート３３２の中で少なくともいずれか１つを複数枚重ねて使用でき、必要によってはいずれか１つのシートを省略されることもある。
【００２７】
第１導光ユニット３１０の下部には、表示パネル１００のある図で上方向に提供されず、図で下方向にて漏洩する光を反射して表示パネル１００の方向に光の経路を変更させるための反射シート３４０が配置される。反射シート３４０は光を反射する物質を含む。反射シート３４０は下部カバー４２０の上に具備されて光源３１２、３２２で発生して下方向に漏れた光を反射する。その結果、反射シート３４０は表示パネル１００側に提供される光の量を増加させる。
【００２８】
上部カバー４１０は表示パネル１００の上部に具備され、上部カバー４１０は表示パネル１００の形状に対応する形状でなされる。上部カバー４１０には表示パネル１００の表示領域１４０を露出する表示窓４１１が形成され、その結果、上部カバー４１０は、表示パネル１００の前面縁を支持する上部面４１２と、上部面４１２から延長され、下部カバー４２０方向に折曲された上部カバー側面４１４と、を含む。ここで、表示パネル１００は長方形の板状であるので、上部カバー側面４１４は４側面に存在する。上部カバー４１０は下部カバー４２０と結合して表示パネル１００の前面の縁を支持する。
【００２９】
下部カバー４２０はバックライトユニット３００の下部に具備される。下部カバー４２０は表示パネル１００及びバックライトユニット３００の形状に対応する底面４２２と、底面４２２から延長されて上部に折曲された下部カバー側面４２４と、を含む。ここで、表示パネル１００及びバックライトユニット３００は長方形形状であるので、下部カバー側面４２４は４側面に存在する。このような下部カバー４２０は、底面４２２及び下部カバー側面４２４によって表示パネル１００及びバックライトユニット３００を収容できる空間を提供する。また、下部カバー４２０は上部カバー４１０と結合されてその内部空間に表示パネル１００及びバックライトユニット３００を収納し、支持する。
【００３０】
図２は図１に図示された表示装置に使用される導光部を説明するための斜視図であり、図３は図２の導光部を説明するための断面図であり、図４は図３のバンドパスフィルターを説明するための拡大図である。
【００３１】
図２乃至図４を参照すれば、導光部は第１導光ユニット３１０及び第１導光ユニット３１０から光が出射される方向に配置される第２導光ユニット３２０を含む。
【００３２】
第１導光ユニット３１０及び第２導光ユニット３２０は各々少なくとも表示パネル１００の表示領域１４０と重畳する導光板３１１、３２１、導光板３１１、３２１へ光を照射する複数の光源３１２、３２２、及び導光板３１１、３２１と光源３１２、３２２との間に配置されるバンドパスフィルター３１３、３２３を含む。
【００３３】
導光板３１１、３２１は光源３１２、３２２から供給された光を表示パネル１００の方向に出射する出射面、前記出射面に対向する下面、及び前記出射面と下面とを連結する側面を含む。ここで、前記出射面及び前記下面は多様な形状を有することができ、前記側面の数は前記出射面及び前記下面の形状によって決定される。例えば、前記出射面及び前記下面が長方形の形状を有する時、導光板３１１、３２１は４つの側面を有する。
【００３４】
また、導光板３１１、３２１は例えばポリカーボネート（ｐｏｌｙｃａｒｂｏｎａｔｅ、ＰＣ）からなる。また、導光板３１１、３２１は前記出射面の上に配置された光拡散パターン３１４、３２４を有することもあり得る。光拡散パターン３１４、３２４は導光板３１１、３２１の出射面を通じて出射される光を拡散する。
【００３５】
光源３１２、３２２は表示パネル１００が映像を表示するのに使用する光を生成するために、導光板３１１、３２１の前記側面の中で少なくともいずれか１つに向かって光を照射する。各光源３１２、３２２から照射された光はバンドパスフィルター３１３、３２３を通じて導光板３１１、３２１の内部に供給される。ここで、光源３１２、３２２は例えば印刷回路基板（図示せず）に実装されたパッケージ形態で構成され、各光源３１２、３２２は例えば発光ダイオードである。
【００３６】
バンドパスフィルター３１３、３２３は光源３１２、３２２から照射される光の中で一部を透過させて導光板３１１、３２１へ供給し、残りの光は選択的に反射させる。ここで図４を参照すると、バンドパスフィルター３１３、３２３は各々屈折率が互に異なる複数のフィルムが積層された複数のフィルターユニット３１５を含む。
【００３７】
また、各フィルターユニット３１５は各々ポリマー材質を含む第１フィルム３１５ａ及び第２フィルム３１５ｂを含み、第２フィルム３１５ｂは第１フィルム３１５ａから光が出射される方向に配置される。また、第１フィルム３１５ａは例えばポリエチレンナフタレート（Ｐｏｌｙｅｔｈｙｌｅｎｅ  Ｎａｐｈｔｈａｌａｔｅ、ＰＥＮ）からなり、第２フィルム３１５ｂは例えばポリスチレン（Ｐｏｌｙｓｔｙｒｅｎｅ、ＰＳ）からなる。
【００３８】
ここで、第１フィルム３１５ａ及び第２フィルム３１５ｂは光源３１２、３２２で照射される光の一部波長領域、特に、赤色、緑色、及び青色光の中の少なくともいずれか１つの光を反射させなければならない。また、第１フィルム３１５ａ及び第２フィルム３１５ｂはその厚さに従って反射させ得る波長領域が決定され、第１フィルム３１５ａ及び第２フィルム３１５ｂの厚さは下記の数式（１）を満足する。
【数１】
0005985221.tif 000002
【００３９】
ここで、ｎは０以上の整数であり、ｎＡは第２フィルムの屈折率、ｄＡは第２フィルムの厚さ、ｎＢは第１フィルムの屈折率、ｄＢは第１フィルムの厚さである。一方、第２フィルム３１５ｂに使用されるポリスチレンの屈折率は１．５２であり、第１フィルム３１５ａに使用されるポリエチレンナフタレートの屈折率は１．８５である。
【００４０】
下記の表１は数式（１）に従う赤色、緑色、及び青色光の中心波長反射のための厚さの計算例である。ここで、第１フィルム３１５ａとしてポリエチレンナフタレートが使用される場合、第１フィルム３１５ａの屈折率は１．８５であり、第２フィルム３１５ｂとしてポリスチレンが使用される場合、第２フィルム３１５ｂの屈折率は１．５２である。
【表１】
0005985221.tif 000003
【００４１】
表１を参照すれば、フィルターユニット３１５が第１フィルム３１５ａ及び第２フィルム３１５ｂを含む場合、厚さを調節して赤色、緑色、及び青色光の中の２つの色相の光の中心波長を反射し、他の光は透過することが分かる。例えば、第１フィルム３１５ａが前記赤色光を反射する８５nmの厚さを有し、第２フィルム３１５ｂが前記緑色光を反射する８９nmの厚さを有するようにすれば、フィルターユニット３１５は前記赤色光及び前記緑色光の中心波長に該当する光を反射し、他の光を透過する。
【００４２】
また、フィルターユニット３１５が第１フィルム３１５ａ及び第２フィルム３１５ｂ以外に付加的なフィルム（図示せず）を含む場合、前記付加的なフィルムが赤色光及び緑色光以外の特定波長光をさらに反射できる。
【００４３】
一方、第１導光ユニット３１０及び第２導光ユニット３２０に具備されるバンドパスフィルター３１３、３２３のフィルターユニット３１５の構成（材質及び／又はフィルム厚）を互いに異ならせると、フィルターユニット３１５は各々互いに異なる波長の光を反射する。
【００４４】
一方、バンドパスフィルター３１３、３２３は透過しようとする光以外の光を７０％以上反射させなければならない。ここで、バンドパスフィルター３１３、３２３の反射率は下記の数式（２）を満足する。
【数２】
0005985221.tif 000004
【００４５】
ここで、Ｎはバンドパスフィルター３１３、３２３に具備されるフィルターユニット３１５の数であり、ｎｍは大気の屈折率であり、ｎｓは導光板３１１、３２１の屈折率である。
【００４６】
下記の表２は数学式２に従うバンドパスフィルター３１３、３２３の反射率を計算した値である。ここで、第１フィルム３１５ａとしてポリエチレンナフタレートが使用される場合、第１フィルム３１５ａの屈折率は１．８５であり、第２フィルム３１５ｂとしてポリスチレンが使用される場合、第２フィルム３１５ｂの屈折率は１．５２である。また、大気の屈折率は約１であり、導光板３１１、３２１としてポリカーボネートを適用して導光板３１１、３２１の屈折率は約１．５９である。
【表２】
0005985221.tif 000005
【００４７】
表２を参照すれば、バンドパスフィルター３１３、３２３に具備されるフィルターユニット３１５の数が増加するに従い反射率が増加することが分かる。特に、バンドパスフィルター３１３、３２３が５以上のフィルターユニット３１５を具備する場合、反射率が７０％以上であることが分かる。
【００４８】
従って、バンドパスフィルター３１３、３２３は５以上のフィルターユニット３１５を具備していると、透過しようとする光以外の光を７０％以上反射できる。
【００４９】
上述したように、バンドパスフィルター３１３、３２３は選択的に光を反射して、望む波長領域の光のみを透過する。
【００５０】
図５は図１に示した表示装置に使用される光源を説明するための斜視図であり、図６は図５の光源を説明するための断面図である。
図５及び図６を参照すれば、光源６００は発光ダイオードチップ６１０、発光ダイオードチップ６１０を封止するモールディング部６２０、発光ダイオードチップ６１０から発生した光を集光するレンズ部６３０を含む。また、光源６００の光出射角は発光ダイオードチップ６１０の中心を基準として−１５°乃至１５°であり得る。これは、光源６００を表示装置５００に適用して導光板３１１、３２１に光を照射する場合、漏洩する光を最少化できるからである。
【００５１】
発光ダイオードチップ６１０は電子と正孔との結合を通じて発光する一種のｐ−ｎ接合半導体であって、電流の流れを通じて少数の電子と正孔とから成るキャリヤーを生成し、これらの電子と正孔とが再結合する過程で放出するエネルギーを用いて光で放出する、半導体素子の中の１種である。また、発光ダイオードチップ６１０は例えば、リードフレーム（図示せず）に実装されて印刷回路基板（図示せず）と電気的に連結される。
【００５２】
モールディング部６２０は発光ダイオードチップ６１０を封止して外部環境から隔離する。ここで、モールディング部６２０は例えば、発光ダイオードチップ６１０が安着される面の面積がこれに対向する面の面積より小さい円錐台形状である。
【００５３】
レンズ部６３０は、発光ダイオードチップ６１０から放出される光の経路上の、モールディング部６２０の上の面、即ち、モールディング部６２０で発光ダイオードチップ６１０が安着される面に対向する面、の上に配置される。また、レンズ部６３０は発光ダイオードチップ６１０から放出されてモールディング部６２０を透過した光をガイドする光ガイド部６３１及び光ガイド部６３１から光が放出される先端に配置されて光を集光する集光部６３２を含む。ここで、光ガイド部６３１はモールディング部６２０によって円柱形状であり、集光部６３２はドーム形状である。また、光ガイド部６３１の長さは例えば、２ｍｍ乃至６ｍｍであり、光ガイド部６３１の直径は例えば、３ｍｍ乃至５ｍｍである。これは光ガイド部６３１が発光ダイオードチップ６１０から発生された光を効率的にガイドするためである。
【００５４】
一方、モールディング部６２０及びレンズ部６３０は各々空気及び水分に対する透過度が低く且つ光透過性が優れた物質を含み、前記光透過性物質は例えば、ガラス及び樹脂（ｒｅｓｉｎ）から成る群から選択されるいずれか１つを包含する。前記樹脂は例えば、シリコン樹脂、エポキシ樹脂、アクリル樹脂、ウレタン樹脂、フォトレジスト及びその等価物から成る群から選択されるいずれか１つである。
【００５５】
また、光源６００は光ガイド部６３１を囲む反射部材６４０をさらに含んで、発光ダイオードチップ６１０で放出された光の中でレンズ部６３０の光ガイド部６３１を通じて漏洩する光を反射して光源６００の光効率を上昇する。従って、発光ダイオードチップ６１０から発生された光の中でより多い光が導光板３１１、３２１へ照射される。
【符号の説明】
【００５６】
１００      表示パネル
１１０      アレイ基板
１２０      対向基板
１３０      ドライバーＩＣ
１４０      表示領域
２００      モールドフレーム
３００      バックライトユニット
３１０      第１導光ユニット
３１１、３２１      導光板
３１２、３２２      光源
３１３、３２３      バンドパスフィルター
３１４、３２４      光拡散パターン
３１５      フィルターユニット
３１５ａ      第１フィルム
３１５ｂ      第２フィルム
３２０      第２導光ユニット
３３０      光学部材
３３２      保護シート
３３４      プリズムシート
３３６      拡散シート
３４０      反射シート
４１０      上部カバー
４１１      表示窓
４１２      上部面
４１４      上部カバー側面
４２０      下部カバー
４２２      底面
４２４      下部カバー側面
５００      表示装置
６００      光源
６１０      発光ダイオードチップ
６２０      モールディング部
６３０      レンズ部
６３１      光ガイド部
６３２      集光部
６４０      反射部材
【図１】
0005985221.tif 000006
【図２】
0005985221.tif 000007
【図３】
0005985221.tif 000008
【図４】
0005985221.tif 000009
【図５】
0005985221.tif 000010
【図６】
0005985221.tif 000011